【事件の表示】
　特願２００８−５４７５１８「直視型ＭＥＭＳディスプレイ装置およびその上に画像を生成する方法」拒絶査定不服審判事件〔平成１９年　７月　５日国際公開、ＷＯ２００７／０７５８３２、平成２１年　５月２１日国内公表、特表２００９−５２０２４５〕について、次のとおり審決する。
【結　論】
　本件審判の請求は、成り立たない。
【理　由】
第１　手続の経緯  
　本願は、２００６年１２月１９日（パリ条約による優先権主張外国庁受理２００５年１２月１９日、米国、２００６年２月２３日、米国、２００６年２月２４日、米国）を国際出願日とする出願であって、平成２５年１月３１日付けで特許請求の範囲についての補正がなされ（以下、「補正１」という。）、平成２５年４月５日付け（送達：同年同月１０日）で拒絶査定がなされ、これに対し、平成２５年８月５日に拒絶査定不服審判が請求されると同時に特許請求の範囲についての補正（以下、「本件補正」という。）がなされたものである。  
　
第２　補正却下の決定  
［結論］ 
　本件補正を却下する。  
　
［理由］
１　補正の内容  
　本件補正は、特許請求の範囲を次のとおり補正するものである。なお、下線は請求人が付したものであり、補正箇所を示す。  
　
（本件補正前）  
「【請求項１】
　透明基板と、
　前記透明基板上に形成されたＭＥＭＳ光変調器のアレイであって、前記ＭＥＭＳ光変調器のそれぞれは、少なくとも２つの状態にされることが可能であるアレイと、
　前記アレイにデータと作動電圧とを伝えるために前記透明基板上に形成された制御マトリクスと、
　前記アレイ内の前記ＭＥＭＳ光変調器のそれぞれの前記状態を制御するように構成されたコントローラと、を備える直視型ディスプレイであって、
　前記コントローラは、
　画像フレームに対応する複数のサブフレームデータセットであって、それぞれのサブフレームデータセットは、前記アレイの複数行および複数列内の前記ＭＥＭＳ光変調器の状態を示している、複数のサブフレームデータセットをメモリから取得し、
　前記ＭＥＭＳ光変調器を前記サブフレームデータセット内で示された前記状態にするために、少なくとも部分的にメモリに格納されている変更可能な出力シーケンスに従って、前記複数のサブフレームデータセットを出力することにより、前記ＭＥＭＳ光変調器のそれぞれの前記状態を制御する、直視型ディスプレイ。
　　【請求項２】
　前記出力シーケンスは、複数のイベントを含み、前記コントローラは、少なくとも２つのサブフレームデータセットに対応するイベントに関連付けられたさまざまな時間値を記憶する、請求項１に記載の直視型ディスプレイ。
　　【請求項３】
　前記時間値は、前記ＭＥＭＳ光変調器が状態を変更する間の前記アレイの照射を防止するように選択される、請求項２に記載の直視型ディスプレイ。
　　【請求項４】
　複数のランプを備え、前記メモリは、前記出力シーケンス内に含まれるランプ点灯イベントに関連付けられた時間値を記憶する、請求項３に記載の直視型ディスプレイ。
　　【請求項５】
　複数のランプを備え、前記メモリは、前記出力シーケンス内に含まれるランプ消灯イベントに関連付けられた時間値を記憶する、請求項３に記載の直視型ディスプレイ。
　　【請求項６】
　前記出力シーケンスはアドレス指定イベントを含み、前記メモリは、前記アドレス指定イベントに関連付けられた時間値を記憶する、請求項２に記載の直視型ディスプレイ。
　　【請求項７】
　前記時間値は、前記複数のサブフレームデータセットのうちのサブフレームデータセットの出力の結果として生じる、サブフレーム画像の輝度と相互に関連している、請求項２に記載の直視型ディスプレイ。
　　【請求項８】
　複数のランプを備え、前記出力シーケンスはランプ点灯シーケンスを含む、請求項３に記載の直視型ディスプレイ。
　　【請求項９】
前記ランプ点灯シーケンスは、前記出力シーケンス内で出力されるサブフレームデータセットに関連してランプが点灯される、強度に対応するデータを含む、請求項８に記載の直視型ディスプレイ。
　　【請求項１０】
前記ランプ点灯シーケンスは、前記出力シーケンス内で出力されるサブフレームデータセットのためにランプが点灯される、時間の長さと相互に関連するデータを含む、請求項８に記載の直視型ディスプレイ。
　　【請求項１１】
　前記ランプ点灯シーケンス内の各サブフレームデータセットについてランプが点灯される前記時間の長さは、４ミリ秒以下である、請求項１０に記載の直視型ディスプレイ。
　　【請求項１２】
　前記複数のサブフレームデータセットの前記取得は、
　前記画像フレームを複数のサブフレーム画像に分解することと、
　前記複数のサブフレーム画像のうちの各サブフレーム画像に重みを割り当てることと、
を含む、請求項１に記載の直視型ディスプレイ。
　　【請求項１３】
前記コントローラは、符号化方式に従って前記重みを割り当てる、請求項１２に記載の直視型ディスプレイ。
　　【請求項１４】
　前記コントローラは、サブフレーム画像を、前記サブフレーム画像に割り当てられた前記重みに比例した長さの時間にわたって照射させる、請求項１２に記載の直視型ディスプレイ。
　　【請求項１５】
　前記コントローラは、サブフレーム画像を、前記サブフレーム画像に割り当てられた前記重みに比例した照射強度で照射させる、請求項１２に記載の直視型ディスプレイ。
　　【請求項１６】
　前記符号化方式は、２進符号化方式であり、前記サブフレームデータセットは、ビットプレーンであり、前記画像フレームの各色成分は、少なくとも、最上位サブフレーム画像と、最上位の次のサブフレーム画像とに分解される、請求項１３に記載の直視型ディスプレイ。
　　【請求項１７】
　前記最上位サブフレーム画像は、表示される画像フレームに、前記最上位の次のサブフレーム画像の２倍寄与する、請求項１６に記載の直視型ディスプレイ。
　　【請求項１８】
　前記ＭＥＭＳ光変調器は、反射型ＭＥＭＳ光変調器である、請求項１に記載の直視型ディスプレイ。
　　【請求項１９】
　直視型ディスプレイ上に画像フレームを表示するための方法であって、
　画像フレームに対応する複数のサブフレームデータセットであって、それぞれのサブフレームデータセットは、透明基板上に形成されたＭＥＭＳ光変調器アレイの複数行および複数列内のＭＥＭＳ光変調器の状態を示している、複数のサブフレームデータセットをメモリから取得するステップと、
　前記ＭＥＭＳ光変調器を各サブフレームデータセット内で示された前記状態にするために、変更可能な出力シーケンスに従って前記複数のサブフレームデータセットを出力するステップと、を含み、
　前記出力するステップは、前記透明基板上に形成された制御マトリクスを介して前記ＭＥＭＳ光変調器アレイにデータと作動電圧とを伝えるステップを含む、方法。
　　【請求項２０】
　少なくとも２つのサブフレームデータセットに対応するイベントに関連付けられた、さまざまな時間値を記憶するステップを含み、前記出力シーケンスは前記イベントを含む、請求項１９に記載の方法。
　　【請求項２１】
　前記時間値は、前記ＭＥＭＳ光変調器が状態を変更する間の、前記ＭＥＭＳ光変調器アレイの照射を防止するように選択される、請求項２０に記載の方法。
　　【請求項２２】
　前記出力シーケンス内に含まれているランプ点灯イベントに従って、複数のランプのうちの少なくとも１つを点灯するステップを含み、前記時間値は、前記ランプ点灯イベントと関連付けられる、請求項２１に記載の方法。
　　【請求項２３】
　前記出力シーケンス内に含まれているランプ消灯イベントに従って、複数のランプのうちの少なくとも１つを消灯するステップを含み、前記時間値は、前記ランプ消灯イベントと関連付けられる、請求項２１に記載の方法。
　　【請求項２４】
　前記出力シーケンスはアドレス指定イベントを含み、前記メモリは、前記アドレス指定イベントに関連付けられた時間値を記憶する、請求項２０に記載の方法。
　　【請求項２５】
　前記時間値は、前記複数のサブフレームデータセットのうちのサブフレームデータセットを出力する前記ステップの結果として生じる、サブフレーム画像の輝度と相互に関連している、請求項２０に記載の方法。
　　【請求項２６】
前記出力シーケンスは、少なくとも部分的に、メモリ内に記憶される、請求項１９に記載の方法。
　　【請求項２７】
　前記出力シーケンスは、複数のランプに対応するランプ点灯シーケンスを含む、請求項２６に記載の方法。
　　【請求項２８】
　前記ランプ点灯シーケンスは、前記出力シーケンス内で出力されるサブフレームデータセットに関連してランプが点灯される、強度に対応するデータを含む、請求項２７に記載の方法。
　　【請求項２９】
　前記ランプ点灯シーケンスは、前記出力シーケンス内で出力されるサブフレームデータセットのためにランプが点灯される、時間の長さに対応するデータを含む、請求項２７に記載の方法。
　　【請求項３０】
　前記ランプ点灯シーケンス内の、各サブフレームデータセットについてランプが点灯される前記時間の長さは、４ミリ秒以下である、請求項２９に記載の方法。
　　【請求項３１】
　前記複数のサブフレームデータセットを導き出すステップは、
　前記画像フレームを複数のサブフレーム画像に分解するステップと、
　前記複数のサブフレーム画像のうちの各サブフレーム画像に、重みを割り当てるステップと、を含む、請求項１９に記載の方法。
　　【請求項３２】
　前記重みを割り当てるステップは、符号化方式に従って行われる、請求項３１に記載の方法。
　　【請求項３３】
　サブフレーム画像を、前記サブフレーム画像に割り当てられた前記重みに比例した長さの時間にわたって照射するステップを含む、請求項３１に記載の方法。
　　【請求項３４】
　サブフレーム画像を、前記サブフレーム画像に割り当てられた前記重みに比例した照射強度で照射するステップを含む、請求項３１に記載の方法。
　　【請求項３５】
　前記符号化方式は２進符号化方式であり、前記サブフレームデータセットはビットプレーンであり、前記画像フレームの各色成分は、少なくとも、最上位サブフレーム画像と、最上位の次のサブフレーム画像とに分解される、請求項３２に記載の方法。
　　【請求項３６】
　前記最上位サブフレーム画像は、表示される画像フレームに、前記最上位の次のサブフレーム画像の２倍寄与する、請求項３５に記載の方法。
　　【請求項３７】
　前記ＭＥＭＳ光変調器は、反射型光変調器である、請求項１９に記載の方法。」  
　
（本件補正後）  
「【請求項１】
　透明基板と、
　前記透明基板上に形成されたＭＥＭＳ光変調器のアレイであって、前記ＭＥＭＳ光変調器のそれぞれは、少なくとも２つの状態にされることが可能であるアレイと、
　前記アレイにデータと作動電圧とを伝えるために前記透明基板上に形成された制御マトリクスと、
　前記アレイ内の前記ＭＥＭＳ光変調器のそれぞれの前記状態を制御するように構成されたコントローラと、を備える直視型ディスプレイであって、
　前記コントローラは、
　画像フレームに対応する複数のサブフレームデータセットであって、それぞれのサブフレームデータセットは、前記アレイの複数行および複数列内の前記ＭＥＭＳ光変調器の状態を示している、複数のサブフレームデータセットをメモリから取得し、
　前記ＭＥＭＳ光変調器を前記サブフレームデータセット内で示された前記状態にするために、少なくとも部分的にメモリに格納されている
、１つまたは複数のパラメータを変更することによって
　　【請求項２】
　前記出力シーケンスは、複数のイベントを含み、前記コントローラは、少なくとも２つのサブフレームデータセットに対応するイベントに関連付けられたさまざまな時間値を記憶する、請求項１に記載の直視型ディスプレイ。
　　【請求項３】
　前記時間値は、前記ＭＥＭＳ光変調器が状態を変更する間の前記アレイの照射を防止するように選択される、請求項２に記載の直視型ディスプレイ。
　　【請求項４】
　複数のランプを備え、前記メモリは、前記出力シーケンス内に含まれるランプ点灯イベントに関連付けられた時間値を記憶する、請求項３に記載の直視型ディスプレイ。
　　【請求項５】
　複数のランプを備え、前記メモリは、前記出力シーケンス内に含まれるランプ消灯イベントに関連付けられた時間値を記憶する、請求項３に記載の直視型ディスプレイ。
　　【請求項６】
　前記出力シーケンスはアドレス指定イベントを含み、前記メモリは、前記アドレス指定イベントに関連付けられた時間値を記憶する、請求項２に記載の直視型ディスプレイ。
　　【請求項７】
　前記時間値は、前記複数のサブフレームデータセットのうちのサブフレームデータセットの出力の結果として生じる、サブフレーム画像の輝度と相互に関連している、請求項２に記載の直視型ディスプレイ。
　　【請求項８】
　複数のランプを備え、前記出力シーケンスはランプ点灯シーケンスを含む、請求項３に記載の直視型ディスプレイ。
　　【請求項９】
前記ランプ点灯シーケンスは、前記出力シーケンス内で出力されるサブフレームデータセットに関連してランプが点灯される、強度に対応するデータを含む、請求項８に記載の直視型ディスプレイ。
　　【請求項１０】
前記ランプ点灯シーケンスは、前記出力シーケンス内で出力されるサブフレームデータセットのためにランプが点灯される、時間の長さと相互に関連するデータを含む、請求項８に記載の直視型ディスプレイ。
　　【請求項１１】
　前記ランプ点灯シーケンス内の各サブフレームデータセットについてランプが点灯される前記時間の長さは、４ミリ秒以下である、請求項１０に記載の直視型ディスプレイ。
　　【請求項１２】
　前記複数のサブフレームデータセットの前記取得は、
　前記画像フレームを複数のサブフレーム画像に分解することと、
　前記複数のサブフレーム画像のうちの各サブフレーム画像に重みを割り当てることと、
を含む、請求項１に記載の直視型ディスプレイ。
　　【請求項１３】
前記コントローラは、符号化方式に従って前記重みを割り当てる、請求項１２に記載の直視型ディスプレイ。
　　【請求項１４】
　前記コントローラは、サブフレーム画像を、前記サブフレーム画像に割り当てられた前記重みに比例した長さの時間にわたって照射させる、請求項１２に記載の直視型ディスプレイ。
　　【請求項１５】
　前記コントローラは、サブフレーム画像を、前記サブフレーム画像に割り当てられた前記重みに比例した照射強度で照射させる、請求項１２に記載の直視型ディスプレイ。
　　【請求項１６】
　前記符号化方式は、２進符号化方式であり、前記サブフレームデータセットは、ビットプレーンであり、前記画像フレームの各色成分は、少なくとも、最上位サブフレーム画像と、最上位の次のサブフレーム画像とに分解される、請求項１３に記載の直視型ディスプレイ。
　　【請求項１７】
　前記最上位サブフレーム画像は、表示される画像フレームに、前記最上位の次のサブフレーム画像の２倍寄与する、請求項１６に記載の直視型ディスプレイ。
　　【請求項１８】
　前記ＭＥＭＳ光変調器は、反射型ＭＥＭＳ光変調器である、請求項１に記載の直視型ディスプレイ。
　　【請求項１９】
　直視型ディスプレイ上に画像フレームを表示するための方法であって、
　画像フレームに対応する複数のサブフレームデータセットであって、それぞれのサブフレームデータセットは、透明基板上に形成されたＭＥＭＳ光変調器アレイの複数行および複数列内のＭＥＭＳ光変調器の状態を示している、複数のサブフレームデータセットをメモリから取得するステップと、
　前記ＭＥＭＳ光変調器を各サブフレームデータセット内で示された前記状態にするために、
１つまたは複数のパラメータを変更することによって
　前記出力するステップは、前記透明基板上に形成された制御マトリクスを介して前記ＭＥＭＳ光変調器アレイにデータと作動電圧とを伝えるステップを含む、方法。
　　【請求項２０】
　少なくとも２つのサブフレームデータセットに対応するイベントに関連付けられた、さまざまな時間値を記憶するステップを含み、前記出力シーケンスは前記イベントを含む、請求項１９に記載の方法。
　　【請求項２１】
　前記時間値は、前記ＭＥＭＳ光変調器が状態を変更する間の、前記ＭＥＭＳ光変調器アレイの照射を防止するように選択される、請求項２０に記載の方法。
　　【請求項２２】
　前記出力シーケンス内に含まれているランプ点灯イベントに従って、複数のランプのうちの少なくとも１つを点灯するステップを含み、前記時間値は、前記ランプ点灯イベントと関連付けられる、請求項２１に記載の方法。
　　【請求項２３】
　前記出力シーケンス内に含まれているランプ消灯イベントに従って、複数のランプのうちの少なくとも１つを消灯するステップを含み、前記時間値は、前記ランプ消灯イベントと関連付けられる、請求項２１に記載の方法。
　　【請求項２４】
　前記出力シーケンスはアドレス指定イベントを含み、前記メモリは、前記アドレス指定イベントに関連付けられた時間値を記憶する、請求項２０に記載の方法。
　　【請求項２５】
　前記時間値は、前記複数のサブフレームデータセットのうちのサブフレームデータセットを出力する前記ステップの結果として生じる、サブフレーム画像の輝度と相互に関連している、請求項２０に記載の方法。
　　【請求項２６】
前記出力シーケンスは、少なくとも部分的に、メモリ内に記憶される、請求項１９に記載の方法。
　　【請求項２７】
　前記出力シーケンスは、複数のランプに対応するランプ点灯シーケンスを含む、請求項２６に記載の方法。
　　【請求項２８】
　前記ランプ点灯シーケンスは、前記出力シーケンス内で出力されるサブフレームデータセットに関連してランプが点灯される、強度に対応するデータを含む、請求項２７に記載の方法。
　　【請求項２９】
　前記ランプ点灯シーケンスは、前記出力シーケンス内で出力されるサブフレームデータセットのためにランプが点灯される、時間の長さに対応するデータを含む、請求項２７に記載の方法。
　　【請求項３０】
　前記ランプ点灯シーケンス内の、各サブフレームデータセットについてランプが点灯される前記時間の長さは、４ミリ秒以下である、請求項２９に記載の方法。
　　【請求項３１】
　前記複数のサブフレームデータセットを導き出すステップは、
　前記画像フレームを複数のサブフレーム画像に分解するステップと、
　前記複数のサブフレーム画像のうちの各サブフレーム画像に、重みを割り当てるステップと、を含む、請求項１９に記載の方法。
　　【請求項３２】
　前記重みを割り当てるステップは、符号化方式に従って行われる、請求項３１に記載の方法。
　　【請求項３３】
　サブフレーム画像を、前記サブフレーム画像に割り当てられた前記重みに比例した長さの時間にわたって照射するステップを含む、請求項３１に記載の方法。
　　【請求項３４】
　サブフレーム画像を、前記サブフレーム画像に割り当てられた前記重みに比例した照射強度で照射するステップを含む、請求項３１に記載の方法。
　　【請求項３５】
　前記符号化方式は２進符号化方式であり、前記サブフレームデータセットはビットプレーンであり、前記画像フレームの各色成分は、少なくとも、最上位サブフレーム画像と、最上位の次のサブフレーム画像とに分解される、請求項３２に記載の方法。
　　【請求項３６】
　前記最上位サブフレーム画像は、表示される画像フレームに、前記最上位の次のサブフレーム画像の２倍寄与する、請求項３５に記載の方法。
　　【請求項３７】
　前記ＭＥＭＳ光変調器は、反射型光変調器である、請求項１９に記載の方法。」
　
　本件補正は、請求項１及び１９に記載した発明を特定するために必要な事項である「変更可能な出力シーケンス」を「１つまたは複数のパラメータを変更することによって」と限定するものであって、特許請求の範囲の減縮を目的とするものに該当する。  
　そこで、本件補正後の請求項１に記載された発明（以下、「本願補正発明」という。）が特許出願の際独立して特許を受けることができるものであるかについて、以下に検討する。 
　
２　引用例、周知例及びその記載事項  
（１）原査定の拒絶の理由に引用され、本願の優先権主張の日前に頒布された刊行物である特開２００１−１７５２１６号公報（平成１３年６月２９日公開、以下「引用例１」という。）には、図面とともに以下の事項が記載されている（なお、下線は当審で付した。）。　  
　
ａ「【０００１】
【発明の属する技術分野】
本発明は、液晶プロジェクタ、直視型の液晶ディスプレイやマイクロディスプレイ等の表示装置
に関する。
ｂ「【００３６】上記目的を達成するため、
本発明では、表示装置の変調を２段にて行なうものとしている。
　
ｃ「【０１４２】
（第１の実施の形態）本発明は、
実施の形態としての表示装置全体の具体的な説明に先立って、先ず
階調表示の原理について説明する。
【０１４３】
（第１−１実施例）
本実施例は、［２値論理の場合］（あるいは、２進数に応じてのディジタル階調表示の場合）である。
【０１４４】
今、図９の（１）に示すように、一括光変調手段４００からの光４５０を、二次元光変調手段５００を通して出力５５０させる光学系を考える。
【０１４５】
また、二次元光変調手段とは、一括光変調手段から射出された光束（これを一括変調光束４５０と呼ぶことにする）を２次的そして２次元的に各部分毎に、あるいは表示平面に配列された各画素毎にやはり時間ｔの関数として変調して出力することのできる物であり、最も簡単な例としては液晶パネル等がある。そしてこの二次元光変調手段を通過した光（これを個別変調出力光束５５０と呼ぶ）が
動作や
映像の個々の画素の光として観測される。従って、実際の表示装置での二次元光変調手段５００
は、表示素子（と言うよりも表示装置の大きな構成部分）としては図９の（２）に示す様に画素に対応して上下左右方向に
幾行、幾列にも
画素が配置されている。
【０１４６】さて、一般に動画あるいは映像は、いくつものそして少しづつ異なる静止画を時間的に連続して表示することによって得られるが、そのときの
１つの静止画を表示する時間単位を１表示周期（１フレーム
とも呼ぶ）という。この１表示周期内において、一括光変調手段の出力光強度と、
例えば特定の画素に着目したときの光強度変調率とがいずれも時間の関数として変化するとして、それぞれＰ（ｔ）及びμ（ｔ）で表す。すると、個別変調出力光束のある部分の強度はＣＰ（ｔ）μ（ｔ）（Ｃはある定数）で表されることになる。
【０１４７】
いま、１表示周期を例えばＮ個（Ｎは２以上の整数）の等幅の単位区間に分ける。この単位区間の幅は、１表示周期の時間幅をＴとすると、Ｔ／Ｎで与えられる。そして、ｋ番目の単位区間Ｉ
k
 （ここにｋは、０≦ｋ≦Ｎ−１を満たす整数とする。
）においては一括光変調手段４００の出力光強度はＰ
0
 ２
k
 （Ｐ
0
はある定数）で表されるとし、二次元光変調手段５００の光強度変調率は０（ＯＦＦ状態に相当）またはある有限値μ
0
 （ＯＮ状態に相当）いずれかの値になるとする。すなわち、数式で表すと（数４）のようになる。
　
　
【０１４８】
ここで、ｂ
k
 は二次元光変調手段の状態を表す値であり、光強度変調率が０のときはｂ
k
 ＝０、有限値μ
0
 のときはｂ
k
 ＝１で表すものとする。そうすると、１表示周期での光強度変調率（あるいは、輝度の階調）のパターンは２
N
 通りあり、それぞれ、［ｂ
N-1
 ｂ
N-2
 ｂ
N-3
 …ｂ
1
 ｂ
0
 ］という２進数表示の数に対応させることができる。そして、１表示周期での全出力光エネルギーＥはＣＰ（ｔ）μ（ｔ）の時間積分として（数５）のように計算され
る。
【０１４９】
　
　
以上により、２
N
 階調が実現されることが判る。
【０１５０】
そしてこの場合、各表示周期で一括光変調手段の出力光強度の変調率Ｐ（ｔ）は各単位区間では同じにしておいて、二次元光変調手段の光強度変調率の信号［ｂ
N-1
 ｂ
N-2
 ｂ
N-3
 …ｂ
1
 ｂ
0
 ］のみを画像の階調に応じて変化させれば、表示周期毎に階調をもった動画を得ることができる。
【０１５１】例として、図１０にＮ＝８の場合のＰ（ｔ）、μ（ｔ）及びＰ（ｔ）μ（ｔ）の時間変化の様子を示す。本図の上段は、一括光変調手段の各単位区間での出力光強度を示し、中段は二次元光変調手段の光の透過のｂk ＝１又は０、すなわちＯＮ、ＯＦＦ（開閉）を示す。そして、最下段のＰ（ｔ）μ（ｔ）のハッチ部の合計面積が、μ（ｔ）のパターンに対応した出力光エネルギー、１０進数値表示で１６４（の階調）として表されることを示している。なお、本図の縦軸はいずれも任意単位である。」
　
ｄ「【０１９０】
（第２の実施の形態）本実施の形態は、先の第１の実施の形態（本発明の原理について）の補足である。
【０１９１】
ここまでの説明では、一括光変調手段と２次元光変調手段はいずれも光強度による変調であるとしてきた。
　
ｅ「【０１９４】
また、図９に示す系では、光は２次元光変調手段５００を透過するときの透過率を変化させることにより強度を変調しているが、別に反射率や回折効率等によって強度を変調しても構わない。
以下、本実施の形態の具体的な構成例を示す。
【０１９５】
（第２−１の実施例）本実施例は、表示装置の構成及び動作に関する。
　
ｆ「【０２４２】（第２−２の実施例）本実施例の
表示装置は、
【０２４３】
これは、マトリクス状の画素電極１０４の配置に対応して画素スイッチング素子（ＭＯＳトランジスタ）１１１と、２連インバータからなる双安定素子１２２がマトリクス状に形成されていて、これらが行方向の走査線１２１と列方向の信号線１０６に接続されたものである。
【０２４４】本図の画素スイッチング素子１１１は、走査線１２１に与える電圧のＨＩまたはＬＯに応じてＯＮ状態になったりＯＦＦ状態になったりする。
すなわち、いま図中のＧｍで与えられる走査線１２１が選択され、ＨＩになったとき、この走査線Ｇｍにつながる画素スイッチング素子１１１がＯＮ状態となり、画素（ｍ，ｎ）に属する双安定素子（ｍ，ｎ）は信号線Ｄｎ及びＤｎ’に接続され、双安定素子（ｍ，ｎ）は信号線ＤｎまたはＤｎ’の値に応じて２つの安定状態ＨＩまたはＬＯのうちのいずれかに遷移する（Ｄｎ＝ＨＩ、Ｄｎ’＝ＬＯのとき、双安定素子（ｍ，ｎ）はＨＩ状態に、Ｄｎ＝ＬＯ、Ｄｎ’＝ＨＩのとき、双安定素子（ｍ，ｎ）はＬＯ状態になる）。
　
ｇ「【０２７２】
（第２−６の実施例）本実施例では、可動型微小鏡面を備えた素子を用いたものである。これは、例えばテキサス・インスツルメンツ社のＤＭＤＴＭ（デジタル・マイクロミラー・デバイス）で用いられている方式である。ＤＭＤは、図２６の（１）のようにＳｉ基板１５０上に微小ミラー５５２がマトリクス状に配列されている素子であり、一般に１つの微小ミラーが１画素に相当する。
【０２７３】
この微小ミラーは可動であり、図２６の（２）または（３）で示すような２つの（ＯＦＦ及びＯＮの）安定状態を持っていて、外部からの駆動信号によりこれら２つのうちのいずれかの状態をとることができる。そして、入射光４５０に対して反射光５５０の方向がＯＦＦ状態とＯＮ状態とで異なる。すなわち、ＯＦＦの場合の反射光５５１は観察者の目に入らないようにして、あるいは捨てて、ＯＮの場合の反射光だけ目に入るあるいは拾う光学系にしている。その結果、入射光に対して２値論理的に０またはある有限値μ
0
 の強度変調率（反射率）で光変調することができる。
【０２７４】以下、このＤＭＤを用いた表示装置の構成の一例を図２７に示す。これは、光源として発光ダイオード４０１を用い、この光をＤＭＤ５５１に入射させ、ＯＮの場合の反射光５５２のみをレンズ６０を通して観測者１０の目に導き、これにより、観測者１０５はＤＭＤ５５１の像を見るものである。なお、ＯＦＦの場合の反射光５５１はレンズ６０を通過せず、観測者１０の目には届かないようにしてある。発光ダイオード４０１の輝度は、発光輝度制御回路４０２により制御し、ＤＭＤ５４１の状態はＤＭＤ駆動回路５４０により制御する。　
【０２７５】
この系では、発光ダイオード４０１と発光輝度制御回路４０２を合わせたものが図９の一括光変調手段４００に相当し、ＤＭＤ５４１とＤＭＤ駆動回路５４０を合わせたものが二次元光変調手段５００に相当する。
　
　上記引用例１には、次の事項が記載されているということができる。
　
ア　上記ａの記載から、引用例１には、「液晶プロジェクタ、直視型の液晶ディスプレイやマイクロディスプレイ等の表示装置」が記載されている。
　
イ　上記ｂの「【００３６】‥‥‥本発明では、表示装置の変調を２段にて行なうものとしている。‥‥‥」との記載、上記ｃの「【０１４２】（第１の実施の形態）本発明は、‥‥‥実施の形態としての表示装置全体の具体的な説明に先立って、先ず‥‥‥階調表示の原理について説明する。【０１４３】（第１−１実施例）‥‥‥【０１４４】今、図９の（１）に示すように、一括光変調手段４００からの光４５０を、二次元光変調手段５００を通して出力５５０させる光学系を考える。‥‥‥」との記載から、引用例１に記載の「表示装置」は、「一括光変調手段４００からの光４５０を、二次元光変調手段５００を通して出力５５０させる光学系を有する」ものであるということができる。
　
ウ　上記ｃの「【０１４６】‥‥‥１つの静止画を表示する時間単位を１表示周期（１フレーム‥‥‥とも呼ぶ）という。‥‥‥【０１４７】いま、１表示周期を例えばＮ個（Ｎは２以上の整数）の等幅の単位区間に分ける。この単位区間の幅は、１表示周期の時間幅をＴとすると、Ｔ／Ｎで与えられる。そして、ｋ番目の単位区間Ｉk （ここにｋは、０≦ｋ≦Ｎ−１を満たす整数とする。‥‥‥）においては一括光変調手段４００の出力光強度はＰ0２k（Ｐ0はある定数）で表されるとし、二次元光変調手段５００の光強度変調率は０（ＯＦＦ状態に相当）またはある有限値μ0（ＯＮ状態に相当）いずれかの値になるとする。すなわち、数式で表すと（数４）のようになる。【０１４８】【数４】（略）ここで、ｂk は二次元光変調手段の状態を表す値であり、光強度変調率が０のときはｂk ＝０、有限値μ0 のときはｂk ＝１で表すものとする。そうすると、１表示周期での光強度変調率（あるいは、輝度の階調）のパターンは２N 通りあり、それぞれ、［ｂN-1 ｂN-2 ｂN-3 …ｂ1 ｂ0 ］という２進数表示の数に対応させることができる。１表示周期での全出力光エネルギーＥはＣＰ（ｔ）μ（ｔ）の時間積分として（数５）のように計算され‥‥‥る。【０１４９】【数５】（略）以上により、２N 階調が実現されることが判る。【０１５０】そしてこの場合、各表示周期で一括光変調手段の出力光強度の変調率Ｐ（ｔ）は各単位区間では同じにしておいて、二次元光変調手段の光強度変調率の信号［ｂN-1 ｂN-2 ｂN-3 …ｂ1 ｂ0 ］のみを画像の階調に応じて変化させれば、表示周期毎に階調をもった動画を得ることができる。」との記載から、
引用例１には、
（ア）「１表示周期（１フレームとも呼ぶ）において、１表示周期を例えばＮ個（Ｎは２以上の整数）の等幅の単位区間に分け、ｋ番目の単位区間Ｉk（ここにｋは、０≦ｋ≦Ｎ−１を満たす整数とする。）においては、一括光変調手段４００の出力光強度はＰ0 ２k （Ｐ0はある定数）で表され、二次元光変調手段の光強度変調率は、μ0 ｂk （μ0はある有限値）で表されるから、【数４】（略）となる」こと、
（イ）「１表示周期での光強度変調率（あるいは、輝度の階調）は、それぞれ、［ｂN-1 ｂN-2 ｂN-3 …ｂ1 ｂ0 ］という２進数表示の数に対応させることができる」こと、
（ウ）「二次元光変調手段５００の光強度変調率は０（ＯＦＦ状態に相当）またはある有限値μ0 （ＯＮ状態に相当）いずれかの値になる」ことは、ｂk（二次元光変調手段の状態を表す値）を「光強度変調率が０のときはｂk ＝０、有限値μ0 のときはｂk ＝１」で表すことに対応するから、「二次元光変調手段の光強度変調率の信号［ｂN-1 ｂN-2 ｂN-3 …ｂ1 ｂ0 ］であるｂk は、ｂk ＝１又は０、すなわちＯＮ、ＯＦＦを示す」こと、
（エ）「各表示周期で一括光変調手段の出力光強度の変調率Ｐ（ｔ）は各単位区間では同じにしておいて、二次元光変調手段の光強度変調率の信号［ｂN-1 ｂN-2 ｂN-3 …ｂ1 ｂ0 ］のみを画像の階調に応じて変化させれば、表示周期毎に階調をもった動画を得ることができる」
　ことが記載されているということができる。
　
　したがって、上記（ア）ないし（エ）から、引用例１には、「１表示周期（１フレームとも呼ぶ）において、１表示周期を例えばＮ個（Ｎは２以上の整数）の等幅の単位区間に分け、ｋ番目の単位区間Ｉk（ここにｋは、０≦ｋ≦Ｎ−１を満たす整数とする。）においては、一括光変調手段４００の出力光強度はＰ0 ２k （Ｐ0はある定数）で表され、二次元光変調手段の光強度変調率は、μ0 ｂk （μ0はある有限値）で表されるから、【数４】（略）となり、１表示周期での光強度変調率（あるいは、輝度の階調）は、それぞれ、［ｂN-1 ｂN-2 ｂN-3 …ｂ1 ｂ0 ］という２進数表示の数に対応させることができ、二次元光変調手段の光強度変調率の信号［ｂN-1 ｂN-2 ｂN-3 …ｂ1 ｂ0 ］であるｂk は、ｂk ＝１又は０、すなわちＯＮ、ＯＦＦを示し、各表示周期で一括光変調手段の出力光強度の変調率Ｐ（ｔ）は各単位区間では同じにしておいて、二次元光変調手段の光強度変調率の信号［ｂN-1 ｂN-2 ｂN-3 …ｂ1 ｂ0 ］のみを画像の階調に応じて変化させれば、表示周期毎に階調をもった動画を得る」ことが記載されているということができる。
　
エ　上記ｃの「【０１４３】（第１−１実施例）‥‥‥【０１４４】今、図９の（１）に示すように、一括光変調手段４００からの光４５０を、二次元光変調手段５００を通して出力５５０させる光学系を考える。‥‥‥」との記載、及び上記ｅの「【０１９４】また、図９に示す系では、光は２次元光変調手段５００を透過するときの透過率を変化させることにより強度を変調しているが、別に反射率や回折効率等によって強度を変調しても構わない。‥‥‥」との記載から、引用例１には、「二次元光変調手段５００は、光を透過するときの透過率を変化させることにより強度を変調したり、反射率等によって強度を変調したりすることができる」ことが記載されている。
　
オ　上記ｄの「【０１９０】（第２の実施の形態）本実施の形態は、先の第１の実施の形態（本発明の原理について）の補足である。」との記載、及び上記ｅの「【０１９４】また、図９に示す系では、光は２次元光変調手段５００を透過するときの透過率を変化させることにより強度を変調しているが、別に反射率や回折効率等によって強度を変調しても構わない。‥‥‥以下、本実施の形態の具体的な構成例を示す。【０１９５】（第２−１の実施例）本実施例は、表示装置の構成及び動作に関する。」との記載、及び上記ｇの「【０２７２】（第２−６の実施例）本実施例では、可動型微小鏡面を備えた素子を用いたものである。これは、例えばテキサス・インスツルメンツ社のＤＭＤＴＭ（デジタル・マイクロミラー・デバイス）で用いられている方式である。‥‥‥」との記載から、引用例１には、光の透過率を変化させることにより強度を変調することに代えて、「反射率によって強度を変調する例として、（第２−６の実施例）が記載されている」ということができる。
　
カ　上記ｇの「【０２７２】（第２−６の実施例）本実施例では、可動型微小鏡面を備えた素子を用いたものである。これは、例えばテキサス・インスツルメンツ社のＤＭＤＴＭ（デジタル・マイクロミラー・デバイス）で用いられている方式である。ＤＭＤは、図２６の（１）のようにＳｉ基板１５０上に微小ミラー５５２がマトリクス状に配列されている素子であり、一般に１つの微小ミラーが１画素に相当する。【０２７３】この微小ミラーは可動であり、図２６の（２）または（３）で示すような２つの（ＯＦＦ及びＯＮの）安定状態を持っていて、外部からの駆動信号によりこれら２つのうちのいずれかの状態をとることができる。そして、入射光４５０に対して反射光５５０の方向がＯＦＦ状態とＯＮ状態とで異なる。すなわち、ＯＦＦの場合の反射光５５１は観察者の目に入らないようにして、あるいは捨てて、ＯＮの場合の反射光だけ目に入るあるいは拾う光学系にしている。その結果、入射光に対して２値論理的に０またはある有限値μ0 の強度変調率（反射率）で光変調することができる。‥‥‥【０２７５】この系では、発光ダイオード４０１と発光輝度制御回路４０２を合わせたものが図９の一括光変調手段４００に相当し、ＤＭＤ５４１とＤＭＤ駆動回路５４０を合わせたものが二次元光変調手段５００に相当する。‥‥‥」との記載から、（第２−６の実施例）は、「ＤＭＤ５４１とＤＭＤ駆動回路５４０を合わせたものが二次元光変調手段５００に相当する」ものであり、「一括光変調手段、及びＤＭＤ（デジタル・マイクロミラー・デバイス）を用いた二次元光変調手段を有する表示装置」であるということができる。
　また、ＤＭＤは、「Ｓｉ基板１５０上に微小ミラー５５２がマトリクス状に配列されている素子であり、一般に１つの微小ミラーが１画素に相当する」ことから、「画素に相当する微小ミラーがＳｉ基板上にマトリクス状に配列されている、ＤＭＤ（デジタル・マイクロミラー・デバイス）を用いた二次元光変調手段」であるということができる。
   そして、（第２−６の実施例）は、反射率によって強度を変調する例として記載されているから（上記オ）、引用例１には、「反射率によって強度を変調する例として、一括光変調手段、及び画素に相当する微小ミラーがＳｉ基板上にマトリクス状に配列されている、ＤＭＤ（デジタル・マイクロミラー・デバイス）を用いた二次元光変調手段を有する、表示装置」が記載されているということができる。
　
　したがって、上記引用例１に記載された事項、図面の記載、及び上記アないしカを総合すると、引用例１には、次の事項が記載されている（以下、引用発明という。）。 
　
「液晶プロジェクタ、直視型の液晶ディスプレイやマイクロディスプレイ等の表示装置であって、
　一括光変調手段４００からの光４５０を、二次元光変調手段５００を通して出力５５０させる光学系を有し、
  １表示周期（１フレームとも呼ぶ）において、１表示周期を例えばＮ個（Ｎは２以上の整数）の等幅の単位区間に分け、ｋ番目の単位区間Ｉk（ここにｋは、０≦ｋ≦Ｎ−１を満たす整数とする。）においては、一括光変調手段４００の出力光強度はＰ0 ２k （Ｐ0はある定数）で表され、二次元光変調手段の光強度変調率は、μ0 ｂk （μ0はある有限値）で表されるから、
　
　
となり、１表示周期での光強度変調率（あるいは、輝度の階調）は、それぞれ、［ｂN-1 ｂN-2 ｂN-3 …ｂ1 ｂ0 ］という２進数表示の数に対応させることができ、二次元光変調手段の光強度変調率の信号［ｂN-1 ｂN-2 ｂN-3 …ｂ1 ｂ0 ］であるｂk は、ｂk ＝１又は０、すなわちＯＮ、ＯＦＦを示し、各表示周期で一括光変調手段の出力光強度の変調率Ｐ（ｔ）は各単位区間では同じにしておいて、二次元光変調手段の光強度変調率の信号［ｂN-1 ｂN-2 ｂN-3 …ｂ1 ｂ0 ］のみを画像の階調に応じて変化させれば、表示周期毎に階調をもった動画を得、
　二次元光変調手段５００は、光を透過するときの透過率を変化させることにより強度を変調したり、反射率等によって強度を変調したりすることができ、
　反射率によって強度を変調する例として、一括光変調手段、及び画素に相当する微小ミラーがＳｉ基板上にマトリクス状に配列されている、ＤＭＤ（デジタル・マイクロミラー・デバイス）を用いた二次元光変調手段を有する、
　表示装置。」
　
（２）原査定の拒絶の理由に引用され、本願の優先権主張の日前に頒布された刊行物である特開２００１−３３１１４２号公報（平成１３年１１月３０日公開、以下「引用例２」という。）には、図面とともに以下の事項が記載されている（なお、下線は当審で付した。）。
　
「【０００１】
【発明の属する技術分野】
本発明は、
時分割駆動により画像を表示する表示部を有した画像表示装置に関する。
　
「【００３２】
【発明の実施の形態】本発明の好ましい実施の形態に係る画像表示装置は、
時分割したサブフレーム画像群の表示順序と期間とタイミングを記述した時分割駆動シーケンスに従って、多階調の映像信号を２値のパルス幅変調信号に変換して表示素子を駆動することにより、多階調表示を実現する表示装置において、複数の時分割駆動シーケンスを記憶する手段と、複数の時分割シーケンスからひとつの駆動シーケンスを選択する手段と、この選択した時分割駆動シーケンスに従って、前記表示素子を駆動する
　
　上記記載及び図面から次の事項が記載されているということができる。
　
「時分割駆動により画像を表示する表示部を有した画像表示装置において（【０００１】）、
 時分割したサブフレーム画像群の表示順序と期間とタイミングを記述した時分割駆動シーケンスに従って、多階調の映像信号を２値のパルス幅変調信号に変換して表示素子を駆動することにより、多階調表示を実現する表示装置において、複数の時分割駆動シーケンスを記憶する手段と、複数の時分割シーケンスからひとつの駆動シーケンスを選択する手段と、この選択した時分割駆動シーケンスに従って、前記表示素子を駆動する（【００３２】）、表示装置。」
  
ア　ここで、「時分割駆動により画像を表示する」ことは、時分割したサブフレーム画像を用いて表示することであるから、引用例２には、「時分割したサブフレーム画像を用いることにより画像を表示する表示装置」が記載されているということができる。
　
イ　また、「時分割したサブフレーム画像群の表示順序と期間とタイミングを記述した時分割駆動シーケンス」は、「表示順序と期間とタイミング」をパラメータと捉えると、「時分割したサブフレーム画像群の表示順序と期間とタイミングを記述した時分割駆動シーケンスに従って、多階調の映像信号を２値のパルス幅変調信号に変換して表示素子を駆動する」ことは、「時分割したサブフレーム画像群のパラメータを記述した複数の時分割駆動シーケンスに従って、多階調の映像信号を２値のパルス幅変調信号に変換して表示素子を駆動する」ものである。
　
ウ　同様に、「複数の時分割駆動シーケンスを記憶する手段」は、「時分割したサブフレーム画像群のパラメータを記述した複数の時分割駆動シーケンスを記憶する手段」と捉えることができる。
　
したがって、引用例２には、
　「時分割したサブフレーム画像を用いることにより画像を表示する表示装置において、
   時分割したサブフレーム画像群のパラメータを記述した複数の時分割駆動シーケンスに従って、多階調の映像信号を２値のパルス幅変調信号に変換して表示素子を駆動するものであって、
　時分割したサブフレーム画像群のパラメータを記述した複数の時分割駆動シーケンスを記憶する手段、
　複数の時分割シーケンスからひとつの駆動シーケンスを選択する手段、
　を有し、
　この選択した時分割駆動シーケンスに従って、前記表示素子を駆動する、
　表示装置。」
が記載されているということができる。
　
（３）本願の優先権主張の日前に頒布された刊行物である特開平９−１８９８６９号公報（平成９年７月２２日公開、以下「周知例１」という。）には、図面とともに以下の事項が記載されている（なお、下線は当審で付した。）。
　
「【０００１】
【発明の属する技術分野】
本発明は、
光変調装置を応用したディスプレイ装置に関する。
　
「【００１３】
【実施例】以下、本発明の好適な実施例を説明する。図１（ａ）は光変調装置１００の側断面図であり、
光変調装置１００は、スペーサ８
により形成される隙間４をもって平行配置された基板対（すなわち第１基板１及び第２基板２）を有している。これら基板は、図１（ａ）では透明であ
る。
第１基板１には光通過部３を残して、隙間４側に遮光層１０が形成されている。
この光通過部３は第１基板１に複数形成されており、マトリクス状に配置されている。
　
「【００１５】また、第１基板１の上記光通過部３の隙間４側には電極７Ａが形成され、第２基板２の隙間４側の電極７Ａに対応する部位に電極７Ｂがそれぞれ形成されている。この１組の電極７Ａ，７Ｂは共に透明であり、両電極間には電源９が接続されている。この電源９から
所定電圧（駆動電圧Ｖｄ）を印加して板材５を静電引力により移動させることができる。
　
「【００２１】図１（ｂ）は、
スペーサ８Ａ，８Ｂに弾性部材６Ａ，６Ｂを介して板材５が取り付けられ
図１（ａ），（ｂ）に示すように、駆動電圧Ｖｄがゼロボルトの場合には、板材５と光通過分３との重なり度合いはゼロパーセントであり、第２基板２からの入射光Ｂｉｎは、第２基板２を隙間４に向けて透過しさらに、出射光Ｂｏｕｔとして光通過部３を通過する。
【００２２】
図２（ａ），（ｂ）は、駆動電圧Ｖｄを所定の電圧としたときの状態を示しており、
この場合には、板材５は
移動し
、光通過部３との重なり度合いは１００パーセントとなっている。
　
「【００３７】
以上述べた光変調装置は、
モノクロディスプレイや、
カラーディスプレイに応用することができる。
　
　上記記載及び図面から次の事項が記載されているということができる。
　
「光変調装置を応用したディスプレイ装置であって（【０００１】、【００３７】）、
　光変調装置１００は、スペーサ８により形成される隙間４をもって平行配置された基板対（すなわち第１基板１及び第２基板２）を有し、基板は、透明であり、第１基板１には光通過部３を残して、隙間４側に遮光層１０が形成され、この光通過部３は第１基板１に複数形成されており、マトリクス状に配置されており（【００１３】）、
　スペーサ８Ａ，８Ｂに弾性部材６Ａ，６Ｂを介して板材５が取り付けられ（【００２１】）、
　所定電圧（駆動電圧Ｖｄ）を印加して板材５を静電引力により移動させることができ（【００１５】）、
　駆動電圧Ｖｄがゼロボルトの場合には、板材５と光通過分３との重なり度合いはゼロパーセントであり、第２基板２からの入射光Ｂｉｎは、第２基板２を隙間４に向けて透過しさらに、出射光Ｂｏｕｔとして光通過部３を通過し（【００２１】）、
　駆動電圧Ｖｄを所定の電圧としたときの状態を示しており、この場合には、板材５は移動し、光通過部３との重なり度合いは１００パーセントとなる（【００２２】）、
　ディスプレイ装置。」
　
　ここで、板材５と光通過分３との重なり度合いはゼロパーセントであるときは、第２基板２からの入射光Ｂｉｎは透過し、光通過部３との重なり度合いは１００パーセントであるときは、板材５により、第２基板２からの入射光Ｂｉｎは遮断されるものということができる。
　したがって、上記光変調装置は、透明な第２基板に配置されたスペーサ８に、弾性部材６Ａ，６Ｂを介して板材５が取り付けられ、駆動電圧Ｖｄがゼロボルトの場合には、第２基板２からの入射光Ｂｉｎを透過し、駆動電圧Ｖｄを所定の電圧としたときは、板材５を静電引力により移動させ、第２基板２からの入射光Ｂｉｎを遮断するものである。
　
　よって、周知例１には、上記事項及び図面から次の事項が記載されているということができる。
　
　「透明な第２基板に配置された板材５の静電引力による移動により、透明な第２基板２からの入射光Ｂｉｎを通過又は遮断させる光変調装置を応用したディスプレイ装置。」
　
（４）本願の優先権主張の日前に頒布された刊行物である特開２０００−２１４３９５号公報（平成１２年８月４日公開、以下「周知例２」という。）には、図面とともに以下の事項が記載されている（なお、下線は当審で付した。）。
　
「【０００１】
【発明の属する技術分野】
本発明は、
アレイ型光変調素子
を用いた
表示装置に関する
　
「【００２８】
【発明の実施の形態】以下、本発明に係る光変調素子、及び
アレイ型光変調素子
を用いた
表示装置
図１は本発明に係る光変調素子の一部分を切り欠いた斜視図
図１に示した光変調素子
を示した。
【００２９】
図１に示すように、
変調しようとする光に対して透明な透明基板１上には、一定の間隔を隔てて複数の遮光膜３（第２遮光部）を形成してある。
遮光膜３は、透明基板下側から導入された光を遮光して上側への光出射を阻止している。
透明基板１上で、隣接する遮光膜３の間に配置される帯状の可動子８を複数形成して
いる。
【００３０】くびれ部１１は、一定の変形方向にだけ、他方向より小さな弾性定数を有するように形成されている。この例では、図２に示すように、透明基板１に垂直な方向（Ｚ方向）に対しては剛性が大きく、透明基板１に平行な方向（Ｘ方向）に対しては剛性が小さくなっている。従って、可動子７に透明基板１側へ吸引される方向の力が作用すると、くびれ部１１は主にＸ方向に変位して、可動子１５は透明基板１に対して略平行に移動し、図２の二点鎖線で示す位置へ移動する。」
　
「【００３６】
このように構成された光変調素子２０は、
単純マトリクス構成のアレイ型光変調素子２３を形成することができる。
【００３７】ここで、単純マトリクス構成における画素部について説明する。光変調素子２０は、走査信号電極２５と画像信号電極２９の交差部にそれぞれ設けてある。図５はアレイ型光変調素子２３内の各光変調素子２０に対する配線を示している。図５によれば、走査信号ライン２５又は画像信号ライン２９のいずれか一方に接続される可動子８の遮光性導電膜１５と、該可動子８に隣接し他方の信号ラインに接続される透明基板１上の遮光性導電膜３とが１つの組となって、それぞれ複数組が形成されるように各遮光性電電膜３，１５が接続されている。これら各組がそれぞれ１つの光変調部を形成している。このような素子構成と電極接続により、走査信号電極２５と画像信号電極２９の
電圧が
０［Ｖ］のときは、
可動子８はニュートラル状態である遮光状態となり、
駆動電圧Ｖａ［Ｖ］のときは、
可動子８は静電気力により移動して光透過状態となる。
　上記記載及び図面から次の事項が記載されているということができる。 
「アレイ型光変調素子を用いた表示装置であって（【０００１】、【００２８】）、
  光変調素子は、変調しようとする光に対して透明な透明基板１上には、一定の間隔を隔てて複数の遮光膜３（第２遮光部）を形成し、遮光膜３は、透明基板下側から導入された光を遮光して上側への光出射を阻止し、透明基板１上で、隣接する遮光膜３の間に配置される帯状の可動子８を複数形成し（【００２８】、【００２９】）、
  このように構成された光変調素子２０は、単純マトリクス構成のアレイ型光変調素子２３を形成し（【００３６】）、
  電圧が０［Ｖ］のときは、可動子８はニュートラル状態である遮光状態となり、
駆動電圧Ｖａ［Ｖ］のときは、可動子８は静電気力により移動して光透過状態となる（【００３６】）、
　表示装置。」
　したがって、上記アレイ型光変調素子の光変調素子は、透明基板１上に配置される可動子８を形成し、電圧が共に０［Ｖ］のときは、可動子８は遮光状態となり、電圧Ｖａ［Ｖ］のときは、静電気力により移動して光透過状態となるものである。
　よって、周知例２には、上記事項及び図面から次の事項が記載されているということができる。
　「透明基板１上に配置される可動子８を形成し、電圧が共に０［Ｖ］のときは、可動子８は遮光状態となり、電圧Ｖａ［Ｖ］のときは、静電気力により移動して光透過状態となる、アレイ型光変調素子の光変調素子を用いた表示装置。」
３　対比  
　本願補正発明と引用発明とを対比する。
　  
（１）引用発明は、「画素に相当する微小ミラーがＳｉ基板上にマトリクス状に配列されている、ＤＭＤ（デジタル・マイクロミラー・デバイス）を用いた二次元光変調手段を有する」ものを含むものであって、「画素に相当する微小ミラーがＳｉ基板上にマトリクス状に配列されている」ことは、本願補正発明と、「基板」を有する点で共通し、また、引用発明の「二次元光変調手段」における「画素に相当する微小ミラーがＳｉ基板上にマトリクス状に配列されている、ＤＭＤ（デジタル・マイクロミラー・デバイス）」は、「ＭＥＭＳ光変調器」に相当し、また、「マトリクス状に配列されている」ことは、「アレイ」として捉えることができるから、引用発明と本願補正発明とは、「基板と、前記基板上に形成されたＭＥＭＳ光変調器のアレイ」である点で共通する。
　
（２）引用発明の「二次元光変調手段の光強度変調率の信号［ｂN-1 ｂN-2 ｂN-3 …ｂ1 ｂ0 ］であるｂk は、ｂk ＝１又は０、すなわちＯＮ、ＯＦＦを示」すものであるから、「２つの状態にされることが可能である」ものであるということができる。
　そして、「ＤＭＤ（デジタル・マイクロミラー・デバイス）を用いた二次元光変調手段」の「画素に相当する微小ミラー」も同様に「２つの状態にされることが可能である」動作を行うことは明らかであって、「画素に相当する微小ミラーがＳｉ基板上にマトリクス状に配列されている、ＤＭＤ（デジタル・マイクロミラー・デバイス）」は、「ＭＥＭＳ光変調器」に相当するから（上記（１））、引用発明の「画素に相当する微小ミラーがＳｉ基板上にマトリクス状に配列されている、ＤＭＤ（デジタル・マイクロミラー・デバイス）」は、本願補正発明の「ＭＥＭＳ光変調器のそれぞれは、２つの状態にされることが可能であるアレイ」としている点で一致する。
　
（３）引用発明において、「二次元光変調手段の光強度変調率の信号［ｂN-1 ｂN-2 ｂN-3 …ｂ1 ｂ0 ］であるｂk は、ｂk ＝１又は０、すなわちＯＮ、ＯＦＦを示」すものであって、この２つの状態を制御するよう構成されたコントローラを備えることは自明であり、また、引用発明の、「一括光変調手段、及び画素に相当する微小ミラーがＳｉ基板上にマトリクス状に配列されている、ＤＭＤ（デジタル・マイクロミラー・デバイス）を用いた二次元光変調手段を有する、表示装置」を、直視型のディスプレイとして用いることも常套手段であるから、引用発明の「表示装置」は、本願補正発明の「前記アレイ内の前記ＭＥＭＳ光変調器のそれぞれの前記状態を制御するように構成されたコントローラと、を備える直視型ディスプレイ」に相当する。
　
（４）引用発明の「１表示周期（１フレームとも呼ぶ）において、１表示周期を例えばＮ個（Ｎは２以上の整数）の等幅の単位区間に分け、ｋ番目の単位区間Ｉk（ここにｋは、０≦ｋ≦Ｎ−１を満たす整数とする。）においては、」「二次元光変調手段の光強度変調率は、μ0 ｂk （μ0はある有限値）で表され」、「１表示周期での光強度変調率（あるいは、輝度の階調）は、それぞれ、［ｂN-1 ｂN-2 ｂN-3 …ｂ1 ｂ0 ］という２進数表示の数に対応させることができ、二次元光変調手段の光強度変調率の信号［ｂN-1 ｂN-2 ｂN-3 …ｂ1 ｂ0 ］であるｂk は、ｂk ＝１又は０、すなわちＯＮ、ＯＦＦを示」すものである。
　ここで、「１表示周期」は、「（１フレームとも呼ぶ）」ものであって、信号［ｂN-1 ｂN-2 ｂN-3 …ｂ1 ｂ0 ］のそれぞれのｂの値は、１フレームを分割した、各単位区間に対応した値であるから、信号［ｂN-1 ｂN-2 ｂN-3 …ｂ1 ｂ0 ］は、１フレームに対応する「サブフレームデータセット」ということができる。そして、引用発明は、「二次元光変調手段の光強度変調率の信号［ｂN-1 ｂN-2 ｂN-3 …ｂ1 ｂ0 ］のみを画像の階調に応じて変化させれば、表示周期毎に階調をもった動画を得」るものであって、１フレームは一の画像フレームということができ、また、表示周期毎、すなわち、画像フレーム毎に異なる「サブフレームデータセット」を設定できるものであるから、「画像フレームに対応する複数のサブフレームデータセット」を備えるものである。
　
（５）引用発明の「画素に相当する微小ミラーがＳｉ基板上にマトリクス状に配列されている、ＤＭＤ（デジタル・マイクロミラー・デバイス）を用いた二次元光変調手段」においても、二次元光変調手段の光強度変調率の信号［ｂN-1 ｂN-2 ｂN-3 …ｂ1 ｂ0 ］に応じて制御されるものであるから、画像フレーム毎に異なる「サブフレームデータセット」（上記（４））のそれぞれは、「画素に相当する微小ミラーがＳｉ基板上にマトリクス状に配列されている、ＤＭＤ（デジタル・マイクロミラー・デバイス）」の状態を示しているということができ、ここで、「画素に相当する微小ミラーがＳｉ基板上にマトリクス状に配列されている、ＤＭＤ（デジタル・マイクロミラー・デバイス）」は、「アレイの複数行および複数列内の前記ＭＥＭＳ光変調器」と捉えることができるから、引用発明と本願補正発明とは、「それぞれのサブフレームデータセットは、前記アレイの複数行および複数列内の前記ＭＥＭＳ光変調器の状態を示」す点で共通する。
　
（６）引用発明は、二次元光変調手段の光強度変調率の信号［ｂN-1 ｂN-2 ｂN-3 …ｂ1 ｂ0 ］に応じて制御されるものであり、「二次元光変調手段の光強度変調率の信号［ｂN-1 ｂN-2 ｂN-3 …ｂ1 ｂ0 ］のみを画像の階調に応じて変化させれば、表示周期毎に階調をもった動画を得」るものであるから、「画素に相当する微小ミラーがＳｉ基板上にマトリクス状に配列されている、ＤＭＤ（デジタル・マイクロミラー・デバイス）」を、信号［ｂN-1 ｂN-2 ｂN-3 …ｂ1 ｂ0 ］によって示された状態とするために、信号［ｂN-1 ｂN-2 ｂN-3 …ｂ1 ｂ0 ］のシーケンスにより、複数の信号［ｂN-1 ｂN-2 ｂN-3 …ｂ1 ｂ0 ］を用いて、それぞれの状態を制御するものであるということができ、また、このような制御をコントローラにより行うことは常套手段である。
　ここで、「信号［ｂN-1 ｂN-2 ｂN-3 …ｂ1 ｂ0 ］」は、「サブフレームデータセット」ということができ（上記（４））、また、「画素に相当する微小ミラーがＳｉ基板上にマトリクス状に配列されている、ＤＭＤ（デジタル・マイクロミラー・デバイス）」は、「ＭＥＭＳ光変調器」に相当するから（上記（１））、引用発明と本願補正発明とは、「前記コントローラは、」「前記ＭＥＭＳ光変調器を前記サブフレームデータセット内で示された前記状態にするために、シーケンスに従って、前記複数のサブフレームデータセットにより、前記ＭＥＭＳ光変調器のそれぞれの前記状態を制御する」点で共通する。
　
　すると、本願補正発明と引用発明とは、次の＜一致点＞及び＜相違点＞を有する。  
　
＜一致点＞  
「基板と、
　前記基板上に形成されたＭＥＭＳ光変調器のアレイであって、前記ＭＥＭＳ光変調器のそれぞれは、少なくとも２つの状態にされることが可能であるアレイと、
　前記アレイ内の前記ＭＥＭＳ光変調器のそれぞれの前記状態を制御するように構成されたコントローラと、を備える直視型ディスプレイであって、
　前記コントローラは、
　画像フレームに対応する複数のサブフレームデータセットであって、それぞれのサブフレームデータセットは、前記アレイの複数行および複数列内の前記ＭＥＭＳ光変調器の状態を示し、
　前記ＭＥＭＳ光変調器を前記サブフレームデータセット内で示された前記状態にするために、シーケンスに従って、前記複数のサブフレームデータセットにより、前記ＭＥＭＳ光変調器のそれぞれの前記状態を制御する、直視型ディスプレイ。」
　
＜相違点＞  
（ア）ＭＥＭＳ光変調器のアレイが形成された基板について、本願補正発明は、透明基板であるのに対し、引用発明は、Ｓｉ基板である点。
　
（イ）本願補正発明は、「前記アレイにデータと作動電圧とを伝えるために前記透明基板上に形成された制御マトリクス」を有するのに対し、引用発明は、このようなこのような特定がない点。
　
（ウ）本願補正発明は、「コントローラは、」「複数のサブフレームデータセットをメモリから取得し、」「少なくとも部分的にメモリに格納されている、１つまたは複数のパラメータを変更することによって変更可能な出力」シーケンスに従って、前記複数のサブフレームデータセットを「出力する」のに対し、引用発明では、このような特定がない点。
　
４　判断  
＜相違点＞（ア）について  
　一般に、透明基板を用いた透過光による光変調装置を利用した表示装置は、例えば、周知例１（上記２（３））、周知例２（上記２（４））に記載されているように周知である。
　そして、引用発明の表示装置において「二次元光変調手段５００は、光を透過するときの透過率を変化させることにより強度を変調したり、反射率等によって強度を変調したりすること」ができるものであるから（上記２（１）エ）、引用発明の、ＤＭＤ（デジタル・マイクロミラー・デバイス）を用いた二次元光変調手段に代えて、透過光の光変調装置による表示装置を用いて、基板を透明基板とすることは、当業者が容易に想到し得る事項である。
　よって、本願補正発明の＜相違点＞（ア）に係る構成のようにすることは格別なことではない。
　
＜相違点＞（イ）について  
　上記「＜相違点＞（ア）について」において記載したように、透明基板を用いた透過光による光変調装置を利用した表示装置は周知であり、また、光変調装置を表示装置に用いる場合に、光変調装置をアレイとして配置し、データと作動電圧とを伝えるために、基板上に制御マトリクスを形成することは通常行う周知慣用手段である（制御マトリクスを形成することについては、例えば、引用例１（段落【０２４２】ないし段落【０２４４】「表示装置は、‥‥‥マトリクス状の画素電極１０４の配置に対応して‥‥‥行方向の走査線１２１と列方向の信号線１０６に接続され」る点）参照、ここで、データと作動電圧がマトリクス状の画素に伝えられることは、常套手段である。）。
　よって、本願補正発明の＜相違点＞（イ）に係る構成のようにすることは格別なことではない。　
　
＜相違点＞（ウ）について
　引用発明の「表示装置」は、「画像フレームに対応する複数のサブフレームデータセット」を備えるものであり（上記３（４））、ここで、一般に記憶されている画像を表示することは周知慣用技術であるから、引用発明において、複数のサブフレームデータセットを用いて画像を表示するにあたり、その複数のサブフレームデータセットをメモリに記憶し、そのメモリから、その複数のサブフレームデータセットを取得するようにすることは、当業者が適宜なし得る事項である。
　そして、引用例２には、サブフレームを用いて画像を表示するにあたり、「時分割したサブフレーム画像群のパラメータを記述した複数の時分割駆動シーケンスを記憶」し、「複数の時分割シーケンスからひとつの駆動シーケンスを選択」して、「この選択した時分割駆動シーケンスに従って、前記表示素子を駆動する」ことが記載されており、サブフレームを用いて画像を表示する引用発明においても、パラメータを記述したシーケンスを出力し、このシーケンスに従って、前記複数のサブフレームデータセットを出力することは当業者が容易になし得る事項である。また、この際、表示される画像を変更するために、１つまたは複数のパラメータを変更すること、及びこのような各種制御をコントローラを用いて行うことは、当業者が適宜なし得る事項である。
  よって、本願補正発明の＜相違点＞（ウ）に係る構成のようにすることは格別なことではない。
　
　そして、上記相違点を総合的に判断しても、本願補正発明が奏する効果は引用発明及び周知な事項から当業者が十分に予測できたものであって格別なものとはいえない。  
　
　よって、本願補正発明は、引用発明及び周知な事項に基づいて、当業者が容易に発明をすることができたものである。  
　
５　むすび
　したがって、本件補正は、平成１８年法律第５５号改正附則第３条第１項によりなお従前の例によるとされる同法による改正前の特許法第１７条の２第５項において準用する同法第１２６条第５項の規定に違反するので、同法第１５９条第１項において読み替えて準用する同法第５３条第１項の規定により却下すべきものである。
　
第３　本願発明について  
　本件補正は前記のとおり却下されたので、本願の請求項１ないし３７に係る発明は、補正１によって補正された明細書、特許請求の範囲及び図面の記載からみて、その特許請求の範囲の請求項１ないし３７に記載された事項により特定されるとおりのものと認められるところ、その請求項１に係る発明（以下、「本願発明」という。）は、上記「第２　［理由］　１」の（本件補正前）の「請求項１」として記載したとおりのものである。
　
１　引用例、周知例及びその記載事項  
　引用例、周知例及びその記載事項は、前記「第２　２」に記載したとおりである。 
　
２　対比及び判断  
　本願発明は、前記「第２　１」で検討した本願補正発明から、「変更可能な出力シーケンス」の限定事項である「１つまたは複数のパラメータを変更することによって」との発明特定事項を省いたものである。
　そうすると、本願発明の発明特定事項をすべて含む本願補正発明が、前記「第２　３」、「第２　４」に記載したとおり、引用発明及び周知な事項に基づいて当業者が容易に発明をすることができたものであるから、本願発明も同様の理由により、引用発明及び周知な事項に基づいて当業者が容易に発明をすることができたものである。
　
３　むすび  
　以上のとおり、本願発明は、引用発明及び周知な事項に基づいて当業者が容易に発明をすることができたものであるから、同法第２９条第２項の規定により特許を受けることができない。  
　したがって、他の請求項に係る発明について審理するまでもなく、本願は拒絶すべきものである。  
　よって、結論のとおり審決する。